(57)【要約】【課題】  窯業系等の材料を用いて形成された化粧材にあっても建物躯体に対する十分な取付け強度と取り外し作業の容易性との両立が実現され得る化粧材の取付構造を提供する。【解決手段】  化粧材１０は、取付金具２０側に面する取付面に、入り口部分１３ｂにおける開口面積よりも奥側部分１３ａにおける開口面積が広く形成された凹部１３を備える。取付金具２０は、基部２１から化粧材１０側に向かって立設された一対の係止片２２とを備える。一対の係止片２２の各々は、基部２１から立ち上がる立壁部２３ｂ，２４ｂと、先端に位置し、互いに反対方向に向かって膨らむ湾曲部２３ａ，２４ａとを含む。一対の湾曲部２３ａ，２４ａは、凹部１３の入り口部分１３ｂを経由して奥側部分１３ａにまで挿し込まれており、これにより化粧材１０が取付金具２０に嵌合している。化粧材１０は、一対の立壁部２３ｂ，２４ｂによって下方から支持されている。【選択図】        図１
2005248559.tif 000002
【特許請求の範囲】
【請求項１】
化粧材を取付金具によって建物躯体に取付ける化粧材の取付構造であって、
前記化粧材は、前記取付金具側に面する取付面に、入り口部分における開口面積よりも奥側部分における開口面積が広く形成された凹部を備え、
前記取付金具は、前記建物躯体に取付けられる基部と、前記基部から前記化粧材側に向かって立設された一対の係止片とを備え、
前記一対の係止片の各々は、前記基部から立ち上がる立壁部と、前記立壁部の先端に位置し、互いに反対方向に向かって膨らむ湾曲部とを含み、
前記一対の湾曲部が前記凹部の入り口部分を経由して奥側部分にまで挿し込まれることにより、前記化粧材が前記取付金具に嵌合するとともに、前記一対の立壁部の少なくとも一方によって前記化粧材が下方から支持されている、化粧材の取付構造。
【請求項２】
前記一対の係止片のそれぞれが、前記基部を切り欠いて折り曲げ加工することによって形成されている、請求項１に記載の化粧材の取付構造。
【請求項３】
前記一対の係止片のそれぞれが、互いに対面しないように横方向にずらして配置されている、請求項１または２に記載の化粧材の取付構造。
【発明の詳細な説明】
【技術分野】
【０００１】
本発明は、化粧材を建物躯体に取付けるための化粧材の取付構造に関する。
【背景技術】
【０００２】
近年、建物躯体を長期間にわたって快適な状態で使用する考え方が重視される傾向にあり、必要に応じて建物躯体の細部を点検・検査し、補修することが広く行なわれている。建物躯体の点検・検査が行なわれる重要な箇所として、建物躯体の上階と下階との連結部等に代表される目地部が挙げられる。この目地部とは、建物躯体の隙間に雨水等が進入することによって内部の構造物が腐食されることを防止する目的で、建物躯体の隙間にコーキング材を埋めむことによって形成された部分のことである。
【０００３】
通常、この目地部は、建物の外観を損なわないように胴差し等の化粧材によって覆われる。したがって、点検・検査時には化粧材を取り外し、その後再び取付けることが必要になる。このような着脱が実現される化粧材の取付構造として、たとえば、特開２００３−３６４２号公報（特許文献１）に開示のものがある。以下、この特許文献１に開示の化粧材の取付構造について図を参照して説明する。
【０００４】
図７は、上記特許文献１に開示の化粧材の取付構造を示す断面図であり、図８は、化粧材と取付金具との取付け部分の拡大断面図である。図７に示すように、化粧材１１０は、建物躯体１３０の目地部１３１を目隠しするために、取付金具１２０を介して建物躯体１３０の壁面に取付けられる。取付金具１２０は、基部１２１と受け部１２２とを有しており、ビス１４０によって建物躯体１３０に取付けられる。化粧材１１０は、本体１１１から建物躯体１３０側に向かって突設された突出部１１２を有しており、この突出部１１２が取付金具１２０の受け部１２２に挿し込まれることにより、化粧材１１０が建物躯体１３０に取付けられる。
【０００５】
図８に示すように、取付金具１２０の受け部１２２内に化粧材１１０の突出部１１２が挿し込まれた状態においては、突出部１１２の先端１１２ａが受け部１２２の屈曲部１２２ｂに嵌合することにより、化粧材１１０が取付金具１２０によって所定の嵌合力をもって保持される。この状態から、図中矢印方向に化粧材１１０を引っ張ることにより、突出部１１２の先端１１２ａによって受け部１２２の屈曲部および立壁部１２２ｃが外側に向かって押し広げられ、突出部１１２の先端１１２ａが受け部１２２の屈曲部１２２ｂの頂部を乗り越えることによって、化粧材１１０が取付金具１２０から取り外される。
【０００６】
以上において説明した化粧材の取付構造を採用することにより、化粧材の取り外しが可能となり、建物躯体の点検・検査および補修が容易に行なえるようになる。また、点検・検査あるいは補修が完了した後にも、取付けられていた化粧材を再度取付金具を介して建物躯体に取付けることが可能であるため、経済的にも優れたものとなる。
【特許文献１】特開２００３−３６４２号公報
【発明の開示】
【発明が解決しようとする課題】
【０００７】
しかしながら、上述の化粧材の取付構造は、プラスチック等の樹脂系の材料にて製作された化粧材への適用を目的になされたものであり、セメント等に代表される窯業系の材料にて製作された化粧材に適用した場合には、取付け強度の確保が困難であるため、化粧材にぐらつきが発生するという問題があった。これは、窯業系の材料にて製作された化粧材が樹脂系の材料にて製作された化粧材に比べて微妙な寸法精度をだすことが難しく、また比較的重いためであり、上述の取付構造を採用した場合に化粧材の重量が受け部下側の係止片に集中し、その重みによって係止片が下方に向けて反るために生じるものである。この反りを抑制するためには、剛性の大きい材料にて取付金具を製作することも考えられるが、このように構成した場合には着脱が容易に行なえなくなるという不都合が生じる。
【０００８】
着脱が行なえる化粧材の取付構造にあっては、取付け状態において容易には化粧材が脱落しないように十分な取付け強度を確保する必要がある一方、点検・検査時等においては、作業者の取り外し作業の負担が軽減されるように容易に取り外しが行なえる必要がある。比較的軽い材料にて製作され、かつ高い寸法精度が発現される化粧材においては、この相反する要求を満たすことはさほど困難を伴うものではないが、微妙な寸法精度をだすことが難しく、また比較的重い材料にて製作された化粧材においては、この要求を満たす取付構造の実現は非常に困難である。
【０００９】
したがって、本発明は、窯業系等の材料を用いて形成された化粧材にあっても建物躯体に対する十分な取付け強度と取り外し作業の容易性との両立が実現され得る化粧材の取付構造を提供することを目的とする。
【課題を解決するための手段】
【００１０】
本発明に基づく化粧材の取付構造は、化粧材を取付金具によって建物躯体に取付けるものである。化粧材は、取付金具側に面する取付面に、入り口部分における開口面積よりも奥側部分における開口面積が広く形成された凹部を備えている。取付金具は、建物躯体に取付けられる基部と、基部から化粧材側に向かって立設された一対の係止片とを備えている。一対の係止片の各々は、基部から立ち上がる立壁部と、立壁部の先端に位置し、互いに反対方向に向かって膨らむ湾曲部とを含んでいる。一対の湾曲部は、凹部の入り口部分を経由して奥側部分にまで挿し込まれており、これにより化粧材が取付金具に嵌合している。また、化粧材は、一対の立壁部の少なくとも一方によって下方から支持されている。
【００１１】
このように構成することにより、化粧材が立壁部によって面接触した状態で支持されるようになるため、化粧材の重量が分散された状態で係止片に加わるようになる。このため、窯業系等の材料からなる化粧材に適用した場合にも、化粧材を取付けた状態における係止片の反りが抑制されるようになり、取付け後における化粧材のぐらつきが解消される。したがって、十分な取付け強度と取り外し作業の容易性との両立が可能となる。
【００１２】
上記本発明に基づく化粧材の取付構造にあっては、一対の係止片のそれぞれが基部を切り欠いて折り曲げ加工することによって形成されていることが好ましい。
【００１３】
このように、一対の係止片のそれぞれを折り曲げ加工によって形成することにより、一枚の金属板にて取付金具を製作することが可能になり、安価にかつ容易に取付金具を製作することが可能になる。
【００１４】
上記本発明に基づく化粧材の取付構造にあっては、前記一対の係止片のそれぞれが互いに対面しないように横方向にずらして配置されていることが好ましい。
【００１５】
このように構成することにより、化粧材と取付金具との接触面積をさらに大きく確保することが可能になり、係止片の反りがさらに抑制されるようになる。また、一枚の金属板を折り曲げ加工することによって取付金具を製作することが容易に実現されるという利点も得られる。
【発明の効果】
【００１６】
本発明によれば、窯業系等の材料を用いて形成された化粧材にあっても建物躯体に対する十分な取付け強度と取り外し作業の容易性との両立が実現される。
【発明を実施するための最良の形態】
【００１７】
以下、本発明の実施の形態について、図を参照して詳細に説明する。
【００１８】
（実施の形態１）
図１は、本発明の実施の形態１における化粧材の取付構造を示す断面図である。図１に示すように、化粧材１０は、建物躯体３０の上階と下階との間に位置する目地部３１を目隠しするように、取付金具２０を介して建物躯体３０の壁面に取付けられる。取付金具２０は、基部２１と、受け部としての一対の係止片２２とを有しており、ビス４０によって建物躯体３０に取付けられる。
【００１９】
図１に示すように、化粧材１０は、目地部３１を覆う本体１１と、本体１１の取付面側に設けられた抜き溝１２と、同じく取付面側に設けられた凹部１３とを有している。化粧材１０の本体１１は、たとえばセメント等の窯業系の材料にて製作される。抜き溝１２は、化粧材１０の延伸方向に沿って延びる溝であり、化粧材１０の軽量化のために設けられた溝である。凹部１３は、本体１１の上下方向に距離をもって一対設けられており、化粧材１０を取付金具２０に取付けた状態において、取付金具２０に設けられた一対の係止片２２を受け入れる部位である。
【００２０】
凹部１３は、取付面側に位置する入り口部分１３ｂよりも本体１１の内部に位置する奥側部分１３ａにおいて開口面積が大きくなるように形成されている。すなわち、入り口部分１３ｂが狭く形成されており、奥側部分１３ａが広く形成されている。凹部１３は、化粧材１０の延伸方向に溝状に長く延びるように形成されていてもよいし、化粧材１０の延伸方向において断続的に複数個設けられていてもよい。しかしながら、窯業系の材料を用いて化粧材１０を製作する場合には一般に押出し成形が用いられるため、また溝状に凹部１３を形成することによって施工の際の取付金具２０に対する位置決めが容易となるため、凹部１３を化粧材１０の延伸方向に溝状に形成することが好ましい。
【００２１】
図２は、本実施の形態における化粧材の取付構造において用いられる取付金具の形状を示す斜視図である。図１および図２に示すように、取付金具２０は、プレート状の基部２１と、基部２１から立設された一対の係止片２２とを備えている。一対の係止片２２は、化粧材１０の凹部１３と対応して、取付金具２０の上下方向において２組設けられている。一対の係止片２２は、第１係止片２３と第２係止片２４とから構成されている。第１係止片２３と第２係止片２４とは、基部２１上において横方向にずれた位置に設けられている。なお、基部２１の四隅には、取付金具２０を建物躯体３０に取付けるためのビス穴２６が形成されている。
【００２２】
図１および図２に示すように、第１係止片２３および第２係止片２４は、それぞれ基部２１の一部を切り欠き、この切り欠き部分を折り曲げ加工することによって形成される。このため、基部２１の所定位置には、抜き穴２５が形成されることになる。折り曲げ加工を行なうことによって基部２１から立設された第１係止片２３および第２係止片２４は、基部２１から立ち上がる立壁部２３ｂ，２４ｂと、立壁部２３ｂ，２４ｂの先端に位置する湾曲部２３ａ，２４ａとをそれぞれ有している。この湾曲部２３ａ，２４ａは、互いに反対方向に向かって膨らむように形成されており、たとえば一定の曲率に立壁部２３ｂ，２４ｂの先端を折り曲げ加工することによって形成される。
【００２３】
以上において説明した本実施の形態における取付金具２０は、一対の係止片２２の各々がいずれも切り欠きや折り曲げ、打ち抜き等のプレス加工によって形成されるため、一枚の金属板から容易に製作することが可能である。また、一対の係止片２２の各々が横方向にずれた位置に配置されているため、取付金具２０の強度を損なうことなく、一枚の金属板から取付金具２０を製作することが可能である。なお、金属板の材質としては、耐候性および剛性等の観点からステンレス合金等が好適である。
【００２４】
図３は、建物躯体に固定された取付金具に化粧材を取付ける様子を示す部分拡大図である。化粧材１０を取付金具２０に固定するためには、まず、図３（ａ）に示すように、取付金具２０の一対の係止片２２の先端部分に化粧材１０の取付面側に形成された凹部１３の開口部分を位置決めして押し当てる。これにより、一対の係止片２２の湾曲部２３ａ，２４ａが化粧材の凹部１３の開口部周縁に当接する。
【００２５】
この状態から、図中矢印Ａ方向に化粧材１０を押し込むことにより、図３（ｂ）に示すように、一対の係止片２２は互いに近接する方向に弾性変形し、湾曲部２３ａ，２４ａが凹部１３の入り口部分１３ｂ内に進入する。すなわち、化粧材１０の凹部１３の開口部周縁によって一対の係止片２２の湾曲部２３ａ，２４ａの周面が押圧され、湾曲部２３ａ，２４ａが上下方向にそれぞれ押し下げられることにより、第１係止片２３は図中矢印Ｂ方向に向かって撓み、第２係止片２４は図中矢印Ｃ方向に向かって撓み、湾曲部２３ａ，２４ａが凹部１３の入り口部分１３ｂ内に進入する。ここで、立壁部２３ｂ，２４ｂが、バネ部として機能することになる。
【００２６】
この状態から、図中矢印Ａ方向にさらに化粧材１０を押し込むことにより、図３（ｃ）に示すように、湾曲部２３ａ，２４ａが凹部１３の奥側部分１３ａに達する。このとき、凹部１３の入り口部分１３ｂの内壁面に当接することによって互いに近付く方向に押し縮められていた一対の係止片２２は、その当接が解除されることによって凹部１３の奥側部分１３ａ内において元の形状に復帰する。すなわち、第１係止片２３は図中矢印Ｄ方向に向かって移動し、第２係止片２４は図中矢印Ｅ方向に向かって移動する。
【００２７】
以上の動作を経ることにより、図１に示す如くの取付け状態にて、化粧材１０が取付金具２０に嵌合する。なお、化粧材１０を取付金具２０に取付けた状態においては、化粧材１０は一対の係止片２２のうちの第１係止片２３の立壁部２３ｂによって下方から支持される。
【００２８】
上記の目地部３１に経年劣化が生じると、その隙間から湿気や雨水等が侵入して内部構造物を腐食させ、建物躯体３０の耐久性に悪影響を与えることになる。そのため、化粧材１０を取り外し、目地部３１の点検・検査が行なわれ、必要に応じて補修が実施され、その後、化粧材１０が再度建物躯体３０に取付けられる。
【００２９】
図４は、建物躯体に固定された取付金具から化粧材を取り外す様子を示す部分拡大図である。化粧材１０を取付金具２０から取り外すためには、まず、図４（ａ）に示すように、化粧材１０を建物躯体３０から遠ざける方向（図中矢印Ｆ方向）に引っ張る。これにより、一対の係止片２２の湾曲部２３ａ，２４ａが化粧材１０の凹部１３の入り口部分１３ｂと奥側部分１３ａとの間に位置する段差部分の開口部周縁に当接する。
【００３０】
この状態から、図中矢印Ｆ方向にさらに化粧材１０を引っ張ることにより、図４（ｂ）に示すように、一対の係止片２２は互いに近接する方向に弾性変形し、湾曲部２３ａ，２４ａが凹部１３の入り口部分１３ｂ内に進入する。すなわち、化粧材１０の凹部１３内に位置する段差部分の開口部周縁によって一対の係止片２２の湾曲部２３ａ，２４ａの周面が押圧され、湾曲部２３ａ，２４ａが上下方向にそれぞれ押し下げられることにより、第１係止片２３は図中矢印Ｂ方向に向かって撓み、第２係止片２４は図中矢印Ｃ方向に向かって撓み、湾曲部２３ａ，２４ａが凹部１３の入り口部分１３ｂ内に進入する。
【００３１】
この状態から、図中矢印Ｆ方向にさらに化粧材１０を引っ張ることにより、図４（ｃ）に示すように、湾曲部２３ａ，２４ａが凹部１３から取り出される。このとき、凹部１３の入り口部分１３ｂの内壁面に当接することによって互いに近付く方向に押し縮められていた一対の係止片２２は、その当接が解除されることによって元の形状に復帰する。すなわち、第１係止片２３は図中矢印Ｄ方向に向かって移動し、第２係止片２４は図中矢印Ｅ方向に向かって移動する。
【００３２】
以上の動作を経ることにより、化粧材１０の取り外しが行なわれる。なお、取付金具２０の一対の係止片２２は、いずれも弾性変形するのみであるため、再度図３に示す動作を行なうことにより、取り外した化粧材１０を再び建物躯体３０に取付けることが可能である。
【００３３】
以上において説明した化粧材の取付構造を採用することにより、化粧材が建物躯体に取付けられた状態において、取付金具の係止片に設けられた立壁部によって化粧材が面接触した状態で支持されるようになる。このため、微妙な寸法精度の発現が難しく、比較的重たい窯業系等の材料からなる化粧材を取付けた場合にも、化粧材を取付けた状態における係止片の反りが抑制されるようになり、取付け後における化粧材のぐらつきが発生しなくなる。また、係止片の先端に設けられた湾曲部によって着脱の際の係止片の弾性変形がスムーズに行なわれるようになり、着脱作業の容易性も十分に実現される。したがって、本実施の形態における化粧材の取付構造を採用することにより、十分な取付け強度と取り外し作業の容易性との両立が実現されるようになる。
【００３４】
（実施の形態２）
図５は、本発明の実施の形態２における化粧材の取付構造を示す断面図であり、図６は、本実施の形態における化粧材の取付構造において用いられる取付金具の形状を示す斜視図である。なお、上述の実施の形態１と同様の部分については図中同一の符号を付し、その説明はここでは繰り返さない。
【００３５】
図５に示すように、化粧材１０は、取付面側に形成された抜き溝１２の上面に凹部１３を有している。凹部１３は、上述の実施の形態１と同様に上下方向に距離をもって一対設けられている。各々の凹部１３は、化粧材１０の取付面を構成する抜き溝１２の上面側に位置する入り口部分１３ｂよりも本体１１の内部に位置する奥側部分１３ａにおいて開口面積が大きくなるように形成されている。この凹部１３は、化粧材１０を取付金具２０に取付けた状態において、取付金具２０に設けられた一対の係止片２２を受け入れる部位である。
【００３６】
図５および図６に示すように、取付金具２０は、プレート状の基部２１と、基部２１から立設された一対の係止片２２とを備えている。一対の係止片２２は、化粧材１０の凹部１３と対応して、取付金具２０の上下方向において２組設けられている。一対の係止片２２は、第１係止片２３と第２係止片２４とから構成されている。第１係止片２３と第２係止片２４とは、基部２１上において横方向にずれた位置に設けられている。なお、基部２１の四隅には、取付金具２０を建物躯体３０に取付けるためのビス穴２６が形成されている。
【００３７】
図１および図２に示すように、第１係止片２３および第２係止片２４は、基部２１とは別体の折り曲げ加工が施された金属部材からなる。第１係止片２３および第２係止片２４は、基部２１にスポット溶接等により取付けられた接続部２３ｄ，２４ｄと、基部２１から立ち上がる立壁部２３ｂ，２４ｂと、立壁部２３ｂ，２４ｂから上方に向かって延びるバネ部２３ｃ，２４ｃと、バネ部２３ｃ，２４ｃの先端に位置する湾曲部２３ａ，２４ａとをそれぞれ有している。この湾曲部２３ａ，２４ａは、互いに反対方向に向かって膨らむように形成されており、たとえば一定の曲率にバネ部２３ｃ，２４ｃの先端を折り曲げ加工することによって形成される。
【００３８】
本実施の形態における化粧材の取付構造においても、上述の実施の形態１における化粧材の取付け構造と同様に、化粧材１０の凹部１３に取付金具２０の一対の係止片２２が挿し込まれることによって化粧材１０が取付金具２０に嵌合する。ここで、本実施の形態における化粧材の取付構造においては、上述の実施の形態１における化粧材の取付構造とは異なり、取付金具２０に対する化粧材１０の着脱が建物躯体３０の壁面と平行な方向、すなわち鉛直方向において実現されている。このため、取付けの際には、化粧材１０を建物躯体３０の壁面に向かって押し付けるのではなく、建物躯体３０の壁面に沿って落とし込むことによって取付けが行なわれる。一方、取り外しの際には、化粧材１０を建物躯体３０のから遠ざかる方向に引っ張るのではなく、上方に押し上げることによって取り外しが行なわれる。
【００３９】
以上において説明した化粧材の取付構造を採用することにより、上述の実施の形態１と同様に、十分な取付け強度と取り外し作業の容易性との両立が実現されるようになる。
【００４０】
上述の実施の形態１および２においては、化粧材として建物躯体の上階と下階との間に位置する目地部を目隠しする胴差しに本発明を適用した場合を例示して説明を行なったが、本発明は胴差し以外にも、破風や幕板、鼻隠し、見切り材、コーナー部材、内装用化粧材等様々な化粧材の取付けに適用が可能である。
【００４１】
今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００４２】
【図１】本発明の実施の形態１における化粧材の取付構造を示す断面図である。
【図２】本発明の実施の形態１における化粧材の取付構造において用いられる取付金具の形状を示す斜視図である。
【図３】本発明の実施の形態１における化粧材の取付構造において、建物躯体に固定された取付金具に化粧材を取付ける様子を示す部分拡大図である。
【図４】本発明の実施の形態１における化粧材の取付構造において、建物躯体に固定された取付金具から化粧材を取り外す様子を示す部分拡大図である。
【図５】本発明の実施の形態２における化粧材の取付構造を示す断面図である。
【図６】本発明の実施の形態２における化粧材の取付構造において用いられる取付金具の形状を示す斜視図である。
【図７】従来の化粧材の取付構造を示す断面図である。
【図８】従来の化粧材の取付構造の化粧材と取付金具との取付け部分の拡大断面図である。
【符号の説明】
【００４３】
１０  化粧材、１１  本体、１２  抜き溝、１３  凹部、１３ａ  奥側部分、１３ｂ  入り口部分、２０  取付金具、２１  基部、２２  一対の係止片、２３，２４  係止片、２３ａ，２４ａ  湾曲部、２３ｂ，２４ｂ  立壁部、２３ｃ，２４ｃ  バネ部、２３ｄ，２４ｄ  接続部、２５  抜き穴、２６  ビス穴、３０  建物躯体、３１  目地部、４０  ビス。
【図１】
2005248559.tif 000003
【図２】
2005248559.tif 000004
【図３】
2005248559.tif 000005
【図４】
2005248559.tif 000006
【図５】
2005248559.tif 000007
【図６】
2005248559.tif 000008
【図７】
2005248559.tif 000009
【図８】
2005248559.tif 000010